(57)【要約】【課題】パワーデバイスの特性ばらつきにかかわらず、歪み特性及び効率の劣化を回避する電力増幅装置を提供する。【解決手段】切替制御部１０５は、歪み特性算出部１１１から出力された歪み特性を示すＡＣＬＲと信号生成部１０１から出力されたＡＣＬＲ目標値とに基づいて、閾値電圧を調整する。切替制御部１０５は、信号生成部１０１から出力された変調電圧信号と閾値電圧との比較結果に応じて、ＳＷ部１０７の各スイッチのＯＮ／ＯＦＦを制御するスイッチ制御信号を生成する。ＳＷ部１０７は、切替制御部１０５から出力されたスイッチ制御信号に基づいてスイッチを切り替え、多出力ＤＣ電源部１０６から出力された複数のＤＣ電圧を用いて、所望のＤＣ電圧をＲＦＡＭＰ部１０８に出力する。【選択図】図４
2013239962.tif 000002
【特許請求の範囲】
【請求項１】
複数のＤＣ電圧を供給する多出力ＤＣ電源手段と、
前記複数のＤＣ電圧を組み合わせて所望のＤＣ電圧を出力するスイッチ手段と、
前記所望のＤＣ電圧に応じて、入力信号の電力を増幅する電力増幅器と、
前記電力増幅器によって増幅された信号の隣接チャネル漏洩電力比を算出する算出手段と、
送信信号のエンベロープレベルに対する複数の閾値を、前記隣接チャネル漏洩電力比に応じて制御し、制御した前記複数の閾値と前記エンベロープレベルとに基づいて、前記スイッチ手段を制御する切替制御手段と、
を具備する電力増幅装置。
【請求項２】
前記切替制御手段は、前記隣接チャネル漏洩電力比を目標値未満であって、かつ、目標値に最も近くなるように前記複数の閾値を設定する、
請求項１に記載の電力増幅装置。
【請求項３】
前記多出力ＤＣ電源手段は、二次側に複数のタップを備えるマルチタップトランスを備え、一次側にＰＷＭ（Pulse Width Modulation）信号を入力し、二次側から出力される複数のＰＷＭ信号をそれぞれ整流して、ＤＣ電圧を生成する、
請求項１に記載の電力増幅装置。
【請求項４】
前記送信信号のエンベロープに応じて、振幅又はデューティー比を調整して前記ＰＷＭ信号を生成するＰＷＭ信号生成手段を具備する、
請求項３に記載の電力増幅装置。
【請求項５】
前記電力増幅器の電圧−利得特性、前記送信信号のエンベロープ、及び、前記所望のＤＣ電圧に基づいて、前記電力増幅器の電圧−利得特性の逆特性を入力信号に付与する電圧−利得特性フィルタを具備する、
請求項１に記載の電力増幅装置。
【発明の詳細な説明】
【技術分野】
【０００１】
本発明は、エンベロープトラッキング（以下、「ＥＴ：Envelope Tracking」という）方式を用いた電力増幅装置に関する。
【背景技術】
【０００２】
近年、移動体通信分野において、ＣＤＭＡ（Code Division Multiple Access）又はＯＦＤＭ（Orthogonal Frequency-Division Multiplexing）等の伝送方式が実用化されている。ＣＤＭＡ及びＯＦＤＭ方式に用いられる電力増幅器（パワーアンプ）は、広帯域及び高ダイナミックレンジの信号を低消費電力（高効率）、かつ、低歪みで線形性を維持して増幅し、また、不要電波の放射（送信帯域外への電波放出）を抑制しつつ増幅することが求められる。
【０００３】
このような効率の高い電力増幅装置として、ＥＴ方式の電力増幅装置が検討されている。ＥＴ方式は、高周波（ＲＦ）信号の振幅（エンベロープ）に応じて、電力増幅器に供給する電源電圧を変化させることにより、熱（損失）となっていた無駄な電力消費を削減し、電力増幅器を高効率に動作させる方式である。
【０００４】
ＥＴ方式の電力増幅装置は、例えば、特許文献１に開示されている。特許文献１には、図１に示すように、電圧制御部２において、送信信号の振幅を求め、この振幅を関数Ｆに代入し、振幅に基づいた電圧信号を生成することが開示されている。ここで、関数Ｆは、例えば、振幅値が所定値α（αは、送信信号の最大振幅の数分の１程度）未満では一定値の電圧信号とし、振幅値が所定値αを超えると、振幅値に比例した値の電圧信号とするような関係である。
【０００５】
ＥＴ方式においては、ＲＦ信号のエンベロープに応じて離散的な電源電圧を出力するスイッチモード変調電源方式が知られている。スイッチモード変調電源は、飽和領域で用いるため、電源単体では理論的に１００％の効率が得られることがメリットである。
【０００６】
そこで、特許文献１に開示の技術をベースにスイッチモード変調電源を組み合わせた電力増幅装置の構成を図２に示す。図２に示す電力増幅装置では、ＲＦ信号のエンベロープ（点線）と電圧制御部からの電圧（電力増幅器に印加されるドレイン電圧）（実線）との関係が図３に示すようになる。
【先行技術文献】
【特許文献】
【０００７】
【特許文献１】特開２０１０−２２６１９８号公報
【発明の概要】
【発明が解決しようとする課題】
【０００８】
しかしながら、上記特許文献１に開示の技術では、電力増幅装置を構成するパワーデバイスの特性ばらつきにより、関数Ｆを一意に決定するのは困難であり、Ｆの決め方によっては、電力増幅器の歪み特性及び効率が劣化してしまう。
【０００９】
また、図２に示した電力増幅装置では、電圧制御部による電力増幅器のドレインへの印加電圧は、電力増幅器の歪み特性と効率を大きく左右するが、電圧Ｖ１〜Ｖ４の適用を判定するエンベロープ閾値（例えば、Ｖ１ｔｈ〜Ｖ３ｔｈ）を決定する際、効率を優先して、印加電圧をエンベロープ波形に近づけ過ぎてしまうと、ＤＰＤ（Digital Pre-Distortion）による歪み補償性能が劣化してしまう。
【００１０】
また、電力増幅器（パワーデバイス）は特性のばらつきが大きく、エンベロープ閾値を一意に決めるのは困難である。
【００１１】
本発明の目的は、パワーデバイスの特性ばらつきにかかわらず、歪み特性及び効率の劣化を回避する電力増幅装置を提供することである。
【課題を解決するための手段】
【００１２】
本発明の電力増幅装置は、複数のＤＣ電圧を供給する多出力ＤＣ電源手段と、前記複数のＤＣ電圧を組み合わせて所望のＤＣ電圧を出力するスイッチ手段と、前記所望のＤＣ電圧に応じて、入力信号の電力を増幅する電力増幅器と、前記電力増幅器によって増幅された信号の隣接チャネル漏洩電力比を算出する算出手段と、送信信号のエンベロープレベルに対する複数の閾値を、前記隣接チャネル漏洩電力比に応じて制御し、制御した前記複数の閾値と前記エンベロープレベルとに基づいて、前記スイッチ手段を制御する切替制御手段と、を具備する構成を採る。
【発明の効果】
【００１３】
本発明によれば、パワーデバイスの特性ばらつきにかかわらず、歪み特性及び効率の劣化を回避することができる。
【図面の簡単な説明】
【００１４】
【図１】特許文献１に開示の電力増幅装置の構成を示す図
【図２】スイッチモード変調電源を用いた電力増幅装置の構成を示す図
【図３】ＲＦ信号のエンベロープ波形と、電圧波形との関係を示す図
【図４】本発明の実施の形態１に係る電力増幅装置の構成を示すブロック図
【図５】図４に示す切替制御部の閾値電圧設定手順の説明に供する図
【図６】図４に示す切替制御部の他の閾値電圧設定手順の説明に供する図
【図７】本発明の実施の形態２に係る電力増幅装置の構成を示すブロック図
【図８】送信信号のエンベロープ波形と、電圧波形との関係を示す図
【図９】本発明の実施の形態２に係る電力増幅装置の他の構成を示すブロック図
【図１０】本発明の実施の形態３に係る電力増幅装置の構成を示すブロック図
【図１１】送信信号のエンベロープ波形と、電圧波形との関係を示す図
【図１２】理想的なＲＦＡＭＰ部の入力電力−利得特性を示す図
【図１３】実際のＲＦＡＭＰ部の入力電力−利得特性を示す図
【図１４】本発明の実施の形態３に係る電力増幅装置の他の構成を示すブロック図
【発明を実施するための形態】
【００１５】
以下、本発明の実施の形態について、図面を参照して詳細に説明する。ただし、実施の形態において、同一機能を有する構成には、同一符号を付し、重複する説明は省略する。
【００１６】
（実施の形態１）
図４は、本発明の実施の形態１に係る電力増幅装置１００の構成を示すブロック図である。以下、図４を用いて電力増幅装置１００の構成について説明する。
【００１７】
信号生成部１０１は、送信信号及び送信信号のエンベロープを生成し、送信信号をＤＰＤ（Digital Pre-distortion）部１０２に出力し、送信信号のエンベロープを切替制御部１０５に出力する。また、信号生成部１０１は、歪み特性を示す隣接チャネル漏洩電力比（ＡＣＬＲ：Adjacent Channel Leakage Ratio）の目標値を設定し、切替制御部１０５に出力する。
【００１８】
ＤＰＤ部１０２は、信号生成部１０１から出力された送信信号と、ＬＰＦ（Low Pass Filter）１１０から出力された信号から、電力増幅器（以下、「ＲＦＡＭＰ部」という）１０８の逆特性を推定し、信号生成部１０１から出力された送信信号に前記逆特性を加えたプリディストーション信号を生成する。このプリディストーションされた送信信号は遅延部１０３に出力される。
【００１９】
遅延部１０３は、ＤＰＤ部１０２から出力された送信信号がＲＦＡＭＰ部１０８において、ＤＣ電圧の信号経路の遅延時間と一致するように送信信号の遅延時間を調整し、直交変調部１０４に出力する。
【００２０】
直交変調部１０４は、遅延部１０３から出力された送信信号を直交変調し、ＲＦＡＭＰ部１０８に出力する。
【００２１】
切替制御部１０５は、歪み特性算出部１１１から出力された歪み特性を示すＡＣＬＲと信号生成部１０１から出力されたＡＣＬＲ目標値とに基づいて、エンベロープ閾値（以下、「閾値電圧」という）を調整する。切替制御部１０５は、信号生成部１０１から出力された変調電圧信号と閾値電圧との比較結果に応じて、ＳＷ（スイッチ）部１０７の各スイッチのＯＮ／ＯＦＦを制御するスイッチ制御信号を生成し、ＳＷ部１０７に出力する。なお、切替制御部１０５の詳細については後述する。
【００２２】
多出力ＤＣ電源部１０６は、複数の異なる値のＤＣ電圧、ここでは、Ｖ０〜Ｖ４をＳＷ部１０７に出力する。
【００２３】
ＳＷ部１０７は、切替制御部１０５から出力されたスイッチ制御信号に基づいてスイッチを切り替え、多出力ＤＣ電源部１０６から出力された複数のＤＣ電圧を用いて、所望のＤＣ電圧をＲＦＡＭＰ部１０８に出力する。
【００２４】
ＲＦＡＭＰ部１０８は、ＳＷ部１０７から出力されたＤＣ電圧に応じて、直交変調部１０４から出力された送信信号を増幅して、電力増幅装置１００外へ出力すると共に、増幅した送信信号をフィードバック信号として直交復調部１０９に出力する。
【００２５】
直交復調部１０９は、ＲＦＡＭＰ部１０８から出力されたフィードバック信号を直交復調し、ＬＰＦ１１０に出力する。
【００２６】
ＬＰＦ１１０は、直交復調部１０９から出力されたフィードバック信号に対してイメージ信号を抑圧し、歪み特性算出部１１１及びＤＰＤ部１０２に出力する。なお、イメージ信号とは、周波数軸上で、局部発振周波数に対して、希望周波数とは対称な位置の周波数を有する妨害信号のことである。
【００２７】
歪み特性算出部１１１は、ＬＰＦ１１０から出力されたフィードバック信号の歪み特性としてＡＣＬＲを算出し、切替制御部１０５に出力する。
【００２８】
次に、上述した切替制御部１０５の閾値電圧設定手順について図５を用いて説明する。図５は、横軸が時間、縦軸が電圧値を示し、また、太い実線がＤＣ電圧、太い点線が送信信号のエンベロープ波形を示している。ここでは、目標ＡＣＬＲを−５０ｄＢｃとする。
【００２９】
切替制御部１０５は、まず、図５（ａ）に示すように、閾値電圧（Ｖｎｔｈ：１≦ｎ≦４）を十分小さい値の初期値に設定する。このとき、ＡＣＬＲが−５５ｄＢｃ、効率ηが４０％であり、歪み特性は良好であるが、効率が悪い。
【００３０】
切替制御部１０５は、図５（ｂ）〜（ｅ）に示すように、徐々にＶｎｔｈを上げ、その都度、ＡＣＬＲを評価する。具体的には、図５（ｂ）では、ＡＣＬＲ＝−５５ｄＢｃ、効率η＝４３％、図５（ｃ）では、ＡＣＬＲ＝−５３ｄＢｃ、効率η＝４６％、図５（ｄ）では、ＡＣＬＲ＝−５１ｄＢｃ、効率η＝５０％、図５（ｅ）では、ＡＣＬＲ＝−４９．５ｄＢｃ、効率η＝６０％となる。ここで、目標ＡＣＬＲを−５０ｄＢｃとしているため、図５（ｅ）に示すＶｎｔｈでは、目標値を下回っているため、その直前の図５（ｄ）に示すＶｎｔｈを最終的な閾値電圧に決定する。
【００３１】
このように、閾値電圧Ｖｎｔｈを徐々に上げていくと、ＡＣＬＲが増加、すなわち、歪み特性が劣化していくのに対し、効率ηが向上する。このため、目標ＡＣＬＲ未満であって、かつ、目標ＡＣＬＲに最も近いＶｎｔｈが、効率を最大化することができ、望ましい。
【００３２】
なお、ここでは、Ｖｎｔｈを同時に増加させる場合を例に説明したが、切替制御部１０５は、Ｖ４ｔｈ、Ｖ３ｔｈ、Ｖ２ｔｈ、Ｖ１ｔｈの順に設定してもよい。この設定手順について図６を用いて説明する。
【００３３】
切替制御部１０５は、手順１において、Ｖｎｔｈ（１≦ｎ≦４）を十分小さい値の初期値に設定する。ここでは、Ｖ１ｔｈを２５Ｖ、Ｖ２ｔｈを３０Ｖ、Ｖ３ｔｈを３５Ｖ、Ｖ４ｔｈを４０Ｖに設定する。このときのＡＣＬＲが−５６ｄＢｃとする。
【００３４】
手順２において、Ｖ１ｔｈ〜Ｖ３ｔｈを固定したまま、Ｖ４ｔｈを４１Ｖに増加させる。このときのＡＣＬＲが−５４ｄＢｃであり、目標ＡＣＬＲの−５０ｄＢｃまでまだ余裕があるため、目標ＡＣＬＲを超えるまで、すなわち、手順５までＶ４ｔｈを１Ｖずつ増加させる。
【００３５】
手順５では、ＡＣＬＲが−４９ｄＢＣとなり、目標ＡＣＬＲを超えるので、手順６において、Ｖ４ｔｈを手順４の４３Ｖに設定し、Ｖ１ｔｈ、Ｖ２ｔｈ、Ｖ４ｔｈを固定したまま、Ｖ３ｔｈを３６Ｖに増加させる。Ｖ３ｔｈについてもＶ４ｔｈと同様に手順７、８と行い、手順８において、ＡＣＬＲが−４９ｄＢｃとなるので、手順９において、Ｖ３ｔｈを手順７の３７Ｖに設定する。
【００３６】
Ｖ２ｔｈ、Ｖ１ｔｈについても上記同様に手順９〜１４まで行い、最終的にＶ１ｔｈを２７Ｖ、Ｖ２ｔｈを３１Ｖ、Ｖ３ｔｈを３７Ｖ、Ｖ４ｔｈを４３Ｖにそれぞれ設定する。
【００３７】
このように、実施の形態１によれば、十分に小さい初期値に設定した閾値電圧Ｖｎｔｈを徐々に増加させ、ＡＣＬＲが目標ＡＣＬＲ未満であって、かつ、目標ＡＣＬＲに最も近いＶｎｔｈに設定することにより、歪み特性を満たしつつ、効率を最大化することができる。また、閾値電圧を可変とすることにより、パワーデバイスの特性ばらつき及び経年変化にかかわらず、歪み特性及び効率の劣化を回避することができる。
【００３８】
（実施の形態２）
一般に、電力増幅装置は、実運用上、設計上の最大出力を出力している期間は短く、通常時の出力電力は低い。このため、低出力時に電力増幅器の電力効率を向上させることができれば、実運用上の消費電力を削減することができる。そこで、本発明の実施の形態２では、低出力時に電力増幅器の電力効率を向上させる構成について説明する。
【００３９】
図７は、本発明の実施の形態２に係る電力増幅装置２００の構成を示すブロック図である。以下、図７を用いて電力増幅装置２００の構成について説明する。図７が図４と異なる点は、ＰＷＭ（Pulse Width Modulation）信号生成部２０１を追加し、多出力ＤＣ電源部１０６を多出力ＤＣ電圧部２０２に変更した点である。
【００４０】
ＰＷＭ信号生成部２０１は、信号生成部１０１から出力される送信信号の平均電力に応じて、振幅又はデューティー比（オンオフ比）を調整したＰＷＭ信号を生成し、多出力ＤＣ電圧部２０２に出力する。
【００４１】
多出力ＤＣ電圧部２０２は、一次側においてＰＷＭ信号生成部２０１からＰＷＭ信号を入力し、二次側に複数のタップを備えるマルチタップトランスを用いて、二次側に複数のＰＷＭ信号を出力する。多出力ＤＣ電圧部２０２は、複数のＰＷＭ信号をそれぞれ整流して複数のＤＣ電圧を生成し、ＳＷ部１０７に出力する。なお、ＰＷＭ信号に応じた複数のＤＣ電圧は、各ＤＣ電圧比が一定比でまとまって変化し、ＤＣ電圧の下限値は固定とする。
【００４２】
このような構成を有することから、送信信号の低出力時、ＰＷＭ信号のデューティー比を小さく（またはＰＷＭ信号の電圧振幅を低減）することにより、ＤＣ電圧のステップ幅が小さくなり、ＳＷ部１０７に入力するＤＣ電圧を低下させることができる。そして、低下させたＤＣ電圧に応じた電圧閾値でＳＷ部１０７を切替制御することにより、送信信号のエンベロープとＤＣ電圧の差分である電圧誤差を低減し、電力効率を改善することができる。また、マルチタップトランスを用いることにより、送信信号のエンベロープに応じて、ＳＷ部１０７へのＤＣ電圧を容易に可変することができる。
【００４３】
ここで、ＤＣ電圧及び送信信号のエンベロープについて電力増幅装置２００の最大出力時を図８（ａ）に、低出力時を図８（ｂ）に示す。図８では、横軸が時間、縦軸が電圧値を示し、また、実線がＤＣ電圧、点線が送信信号のエンベロープ波形を示している。また、図８（ｂ）では、一点鎖線がＶ１〜Ｖ４を固定した場合のＤＣ電圧を示している。ただし、図８において、ＤＣ電圧下限値はＶ０に固定している。
【００４４】
図８（ａ）に示すように、最大出力時にＤＣ電圧をＶ０〜Ｖ４とするのに対して、低出力時は、図８（ｂ）に示すように、Ｖ０、Ｖ１’（＜Ｖ１）、Ｖ２’（＜Ｖ２）、Ｖ３’（＜ｖ３）、Ｖ４’（＜Ｖ４）となっている。図８（ｂ）において、一点鎖線の示すＤＣ電圧より実線の示すＤＣ電圧がエンベロープ波形により近い値となり、電圧誤差が小さくなっていることが分かる。
【００４５】
このように、実施の形態２によれば、送信信号の電力に応じて、振幅又はデューティー比を調整したＰＷＭ信号を生成し、マルチタップトランスを用いて、一次側から入力したＰＷＭ信号を二次側から複数のＰＷＭ信号として出力し、複数のＰＷＭ信号をそれぞれ整流して、複数のＤＣ電圧を生成することにより、電圧誤差を低減し、電力効率を改善することができるので、消費電力を削減することができる。
【００４６】
なお、本実施の形態では、エラーアンプを備えない構成について説明したが、図９に示すように、エラーアンプを備える構成が一般的であり、エラーアンプにより電圧誤差を改善可能である。一方、エラーアンプは、誤差分を正確に増幅する必要があるため、一般的に線形増幅器であり、効率が悪いという特徴を有する。
【００４７】
図９において、遅延部２０３は、信号生成部１０１から出力され、エラーアンプを経由する送信信号がＲＦＡＭＰ部１０８において、ＤＣ電圧の信号経路の遅延時間と一致するように送信信号の遅延時間を調整し、エラーアンプ２０４に出力する。
【００４８】
エラーアンプ２０４は、ＳＷ部１０７から出力されたＤＣ電圧に対して、送信信号のエンベロープとの誤差を低減し、電源電圧をＲＦＡＰＭ部１０８に印加させる。
【００４９】
上述した実施の形態２では、エラーアンプ２０４の出力電力を低減することができ、よって、エラーアンプ２０４の消費電力を低減することができる。また、これにより、電力増幅器の消費電力を低減することができる。
【００５０】
ちなみに、実施の形態１でもエラーアンプを備えていないが、上記同様、エラーアンプを備える構成が一般的である。
【００５１】
（実施の形態３）
上述した通り、電力増幅装置においてはエラーアンプを備えることにより、歪み特性の改善を図っているが、装置規模の小型化及び装置の低コスト化の要請が高まっている現況に鑑み、本発明の実施の形態３では、エラーアンプを削減した構成について説明する。
【００５２】
図１０は、本発明の実施の形態３に係る電力増幅装置３００の構成を示すブロック図である。以下、図１０を用いて電力増幅装置３００の構成について説明する。図１０が図７と異なる点は、切替制御部１０５を切替制御部３０１に変更し、電圧−利得特性フィルタ３０２を追加した点である。
【００５３】
切替制御部３０１は、歪み特性算出部１１１から出力された歪み特性を示すＡＣＬＲと信号生成部１０１から出力されたＡＣＬＲ目標値とに基づいて、閾値電圧を調整する。切替制御部３０１は、信号生成部１０１から出力された送信信号のエンベロープと閾値電圧との比較結果に応じて、ＳＷ部１０７の各スイッチのＯＮ／ＯＦＦを制御するスイッチ制御信号を生成し、ＳＷ部１０７に出力する。また、切替制御部３０１は、送信信号のエンベロープと閾値電圧との比較結果により求まるＤＣ電圧、及び、閾値電圧に応じたフィルタ切替信号を電圧−利得特性フィルタ３０２に出力する。
【００５４】
電圧−利得特性フィルタ３０２は、ＲＦＡＭＰ部１０８の電圧−利得特性、信号生成部１０１から出力された送信信号のエンベロープ、及び、切替制御部３０１から出力されたＤＣ電圧に基づいて、ＲＦＡＭＰ部１０８の電圧−利得特性の逆特性をＤＰＤ部１０２から出力された送信信号に付与して、遅延部１０３に出力する。なお、電圧−利得特性フィルタ３０２は、多項式又はＬＵＴ（Look Up Table）によってフィルタを構成し、また、電圧閾値に応じて変化するＲＦＡＭＰ部１０８の特性に合わせて複数のフィルタを備え、切替制御部３０１からのフィルタ切替信号によってフィルタを切り替える。
【００５５】
ここで、上記電圧−利得特性フィルタ３０２の原理について説明する。ＤＰＤ部１０２だけでは十分に歪みを補償することができないが、その理由として、主に以下の２つの理由がある。１つには、図１１に示すように、送信信号のエンベロープとＤＣ電圧との差分である電圧誤差が一定ではないこと、２つには、ＲＦＡＭＰ部１０８が非線形な電圧−利得特性を有していることである。
【００５６】
ＲＦＡＭＰ部１０８が理想的な電圧−利得特性を有しているとすると、図１２に示すように、入力電力（エンベロープに相当）及びＤＣ電圧に依らず利得が一定となる。しかしながら、実際には、ＲＦＡＭＰ部１０８は、上述したように、非線形な電圧−利得特性を有しているため、図１３に示すような特性となる。図１３では、各ＤＣ電圧を一定とした場合の特性を点線で示し、実際の入力電力とＤＣ電圧とから求まる特性を実線で示している。
【００５７】
電圧−利得特性フィルタ３０２は、図１３の実線で示す特性と逆特性のフィルタを構成し、ＤＰＤ部１０２から出力された送信信号にフィルタ処理を施すことにより、図１２に示すような理想的な特性に補償する。これにより、エラーアンプを削減した構成においても、歪み特性を改善することができる。よって、装置規模の小型化及び装置の低コスト化を実現することができる。
【００５８】
このように、実施の形態３によれば、ＤＰＤ処理された送信信号にＲＦＡＭＰ部の電圧−利得特性の逆特性を付与することにより、エラーアンプを削減した構成においても、歪み特性を改善することができ、装置規模の小型化及び装置の低コスト化を実現することができる。
【００５９】
なお、本実施の形態では、ＲＦＡＭＰ部の周波数特性又は温度特性を考慮した電圧−利得特性フィルタを備え、これらの特性に応じてフィルタを切り替えるようにしてもよい。
【００６０】
また、本実施の形態では、実施の形態２の図７に示した構成を基に、電圧−利得特性フィルタを備える場合について説明したが、図１４に示すように、実施の形態１の図４に示した構成を基に、電圧−利得特性フィルタを備えてもよい。
【産業上の利用可能性】
【００６１】
本発明にかかる電力増幅装置は、例えば、移動通信システムにおける無線通信装置などに適用できる。
【符号の説明】
【００６２】
１００、２００、３００  電力増幅装置
１０１  信号生成部
１０２  ＤＰＤ部
１０３、２０３  遅延部
１０４  直交変調部
１０５、３０１  切替制御部
１０６  多出力ＤＣ電源部
１０７  ＳＷ部
１０８  ＲＦＡＭＰ部
１０９  直交復調部
１１０  ＬＰＦ
１１１  歪み特性算出部
２０１  ＰＷＭ信号生成部
２０２  多出力ＤＣ電圧部
２０４  エラーアンプ
３０２  電圧−利得特性フィルタ
【図１】
2013239962.tif 000003
【図２】
2013239962.tif 000004
【図３】
2013239962.tif 000005
【図４】
2013239962.tif 000006
【図５】
2013239962.tif 000007
【図６】
2013239962.tif 000008
【図７】
2013239962.tif 000009
【図８】
2013239962.tif 000010
【図９】
2013239962.tif 000011
【図１０】
2013239962.tif 000012
【図１１】
2013239962.tif 000013
【図１２】
2013239962.tif 000014
【図１３】
2013239962.tif 000015
【図１４】
2013239962.tif 000016